(57)【要約】【課題】光沢度を変更する際に、加圧ローラ部材への定着荷重（押圧力）を変更しても、転写ずれや分離不良等を生じることなく、高品質に転写材上の未定着のトナー像を定着する定着装置を有する画像形成装置を提供すること。【解決手段】定着装置は、定着ローラ部材に対する加圧ローラ部材の押圧力を変更する押圧力変更手段と、加圧ローラ部材の回転速度を変更させる回転速度変更手段とを備え、押圧力変更手段により加圧ローラ部材の押圧力を変更することによって定着画像の光沢度を変更させるもので、制御部は光沢度変更に当たって、押圧力変更手段による加圧ローラ部材の押圧力を変更すると共に、回転速度変更手段による加圧ローラ部材の回転速度を変更し、定着装置での転写材搬送速度が一定となるように制御することを特徴とする画像形成装置。【選択図】　　　　図４
2004094082.tif 000002
【特許請求の範囲】
【請求項１】
加熱部材を有する加熱ローラ部材と、
前記加熱ローラ部材と平行で離間して配設される弾性層を有する定着ローラ部材と、
前記加熱ローラ部材と前記定着ローラ部材とにエンドレスに掛け渡されたベルト部材と、
前記ベルト部材を介して前記定着ローラ部材に対向して設けられた弾性層を有する加圧ローラ部材とを備え、
転写材上の未定着のトナー像を固着させて定着する定着装置を有する画像形成装置において、
前記定着装置は、
前記定着ローラ部材に対する前記加圧ローラ部材の押圧力を変更する押圧力変更手段と、
前記加圧ローラ部材の回転速度を変更させる回転速度変更手段とを備え、
前記押圧力変更手段により前記加圧ローラ部材の押圧力を変更することによって定着画像の光沢度を変更させるもので、
制御部は光沢度変更に当たって、前記押圧力変更手段による加圧ローラ部材の押圧力を変更すると共に、前記回転速度変更手段による加圧ローラ部材の回転速度を変更し、前記定着装置での転写材搬送速度が一定となるように制御することを特徴とする画像形成装置。
【請求項２】
発熱体を内包し、弾性層を有する加熱ローラ部材と、
前記加熱ローラ部材に押圧される弾性層を持つ加圧ローラ部材とを備え、
転写材上の未定着のトナー像を固着させて定着する定着装置を有する画像形成装置において、
前記定着装置は、
前記加熱ローラ部材に対する前記加圧ローラ部材の押圧力を変更する押圧力変更手段と、
前記加熱ローラ部材または前記加圧ローラ部材の回転速度を変更させる回転速度変更手段とを備え、
前記押圧力変更手段により前記加圧ローラ部材の押圧力を変更することによって定着画像の光沢度を変更させるもので、
制御部は光沢度変更に当たって、前記押圧力変更手段による加圧ローラ部材の押圧力を変更すると共に、前記回転速度変更手段による加熱ローラ部材または加圧ローラ部材の回転速度を変更し、前記定着装置での転写材搬送速度が一定となるように制御することを特徴とする画像形成装置。
【発明の詳細な説明】
【０００１】
【発明の属する技術分野】
本発明は、複写機、プリンタ、ＦＡＸ等の電子写真方式を用いる定着装置を有する画像形成装置に関し、特にベルト部材を用いる定着装置を有する画像形成装置に関する。
【０００２】
【従来の技術】
近年、複写機、プリンタ、ＦＡＸ等の電子写真方式の画像形成装置においては、画質への要求が高まり、該画像形成装置の定着装置によって画像の光沢度を上げる、或いは制御する、という動きが見られている。
【０００３】
従来より、複写機、プリンタ、ＦＡＸ等の電子写真方式の画像形成装置に用いられている定着装置として、弾性層を有して所定の温度に維持された発熱ゴムローラと、発熱ゴムローラに圧接し、弾性層を有する加圧ゴムローラとによって、未定着のトナー画像（トナー像）が形成された転写材を挟持搬送しつつ加熱する熱ローラ定着方式が多用されている。
【０００４】
しかしながら、この種の装置では、発熱ゴムローラの熱容量が大きいため、ウォーミングアップ時間が長くなると共に、弾性層内側の温度が高くなり、発熱ゴムローラの寿命を短くしていた。
【０００５】
また、省エネルギー化への要求が高まり、定着部において、同じ消費電力でなるべく高い定着性を得られる定着装置の開発が進められたり、高品質化への要求により、定着部によって画像の光沢度を上げるという動きが見られている。
【０００６】
また、カラー画像ではベタ面積が大きい画像が多く、そのベタ画像も黒以外のものが多く光沢むらなどが目立つ。上記の発熱ゴムローラ及び加圧ゴムローラにハードローラを用いる場合は、転写材（記録紙）やトナー層の凹凸に応じた光沢むらが生じるため、画像品位が低下するという問題点があった。
【０００７】
これらの問題点を解決するために、無端状のベルト部材（定着ベルト）を用い、複数のローラ部材により定着ベルトを支持張架するもので、定着ベルト内部の定着ローラ（定着ローラ部材）と、定着ベルトを挟んで定着ローラと対向する加圧ローラ（加圧ローラ部材）と、内部に定着ベルトを加熱する加熱部材を有する加熱ローラ（加熱ローラ部材）とを設け、定着ベルトの回転方向で、定着ローラの上流側に設けられ、加圧ローラに定着ベルトが巻き付けられる巻き付き部（補助ニップ部）と、補助ニップ部の下流側で定着ローラと加圧ローラとの間に設けられる定着ニップ部とにて記録紙上のトナー像を定着するベルト定着装置が、例えば特許文献１等により開示されている。
【０００８】
【特許文献１】
特開平１０−３０７４９６号公報
【０００９】
【発明が解決しようとする課題】
上記特開平１０−３０７４９６号公報等にて開示される如き、定着部材（定着ベルト）を用いた定着装置における光沢度を変更する（変化させる）方法として、定着温度を変更する方法と定着荷重を変更する方法がある。しかしながら、定着温度を変更する方法は、一般に加圧ローラ（加圧ローラ部材）および定着ローラ（定着ローラ部材）は熱容量が大きく温度変更に時間がかかるので生産性が低下してしまう。これと比較して、定着荷重（押圧力）の変更は短時間に行えるので、生産性の低下が発生することはない。
【００１０】
しかし、定着荷重（押圧力）を変更すると加圧ローラおよび定着ローラのゴム層（弾性層）の変形量が変化し、それによって定着装置内の転写材の送り速度（転写材搬送速度）が変化する。即ち、加圧ローラ部材への定着荷重（押圧力）を増加すると、ゴム層の変形量が増加し転写材搬送速度が速くなる。これは画像品質低下の原因となる。即ち、定着装置の定着速度が早くなると、転写部（転写域）で転写材が引っ張られるため、転写ずれ等が発生する。また定着速度が遅くなると、転写域（転写部）と定着位置との間で転写材が弛み、転写ずれ、分離不良等が発生するという問題が起こる。
【００１１】
本発明は上記の問題点を解決し、光沢度を変更する際に、加圧ローラ部材への定着荷重（押圧力）を変更しても、転写ずれや分離不良等を生じることなく、高品質に転写材上の未定着のトナー像を定着する定着装置を有する画像形成装置を提供することを目的とする。
【００１２】
【課題を解決するための手段】
上記本発明の目的は下記の構成により達成される。
【００１３】
（１）加熱部材を有する加熱ローラ部材と、前記加熱ローラ部材と平行で離間して配設される弾性層を有する定着ローラ部材と、前記加熱ローラ部材と前記定着ローラ部材とにエンドレスに掛け渡されたベルト部材と、前記ベルト部材を介して前記定着ローラ部材に対向して設けられた弾性層を有する加圧ローラ部材とを備え、転写材上の未定着のトナー像を固着させて定着する定着装置を有する画像形成装置において、前記定着装置は、前記定着ローラ部材に対する前記加圧ローラ部材の押圧力を変更する押圧力変更手段と、前記加圧ローラ部材の回転速度を変更させる回転速度変更手段とを備え、前記押圧力変更手段により前記加圧ローラ部材の押圧力を変更することによって定着画像の光沢度を変更させるもので、制御部は光沢度変更に当たって、前記押圧力変更手段による加圧ローラ部材の押圧力を変更すると共に、前記回転速度変更手段による加圧ローラ部材の回転速度を変更し、前記定着装置での転写材搬送速度が一定となるように制御することを特徴とする画像形成装置（第１の発明）。
【００１４】
（２）発熱体を内包し、弾性層を有する加熱ローラ部材と、前記加熱ローラ部材に押圧される弾性層を持つ加圧ローラ部材とを備え、転写材上の未定着のトナー像を固着させて定着する定着装置を有する画像形成装置において、前記定着装置は、前記加熱ローラ部材に対する前記加圧ローラ部材の押圧力を変更する押圧力変更手段と、前記加熱ローラ部材または前記加圧ローラ部材の回転速度を変更させる回転速度変更手段とを備え、前記押圧力変更手段により前記加圧ローラ部材の押圧力を変更することによって定着画像の光沢度を変更させるもので、制御部は光沢度変更に当たって、前記押圧力変更手段による加圧ローラ部材の押圧力を変更すると共に、前記回転速度変更手段による加熱ローラ部材または加圧ローラ部材の回転速度を変更し、前記定着装置での転写材搬送速度が一定となるように制御することを特徴とする画像形成装置（第２の発明）。
【００１５】
本発明は上記の如き構成をとることにより、定着時の光沢度を変更する際に、加圧ローラ部材への定着荷重（押圧力）を変更しても、転写ずれや分離不良等を生じることなく、高品質に転写材上の未定着のトナー像を定着する定着装置を有する画像形成装置の提供を可能とするものである。
【００１６】
【発明の実施の形態】
以下、本願発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１７】
本発明に係わる定着装置を用いる画像形成装置の一実施形態の画像形成プロセスおよび各機構について、図１ないし図７を用いて説明する。図１は、本発明に係わる定着装置を用いる画像形成装置の一実施形態を示すカラー画像形成装置の断面構成図であり、図２は、本発明に係わる第１の例の定着装置を示す概要断面構成図であり、図３は、定着装置に用いられる押圧力変更手段および回転速度変更手段を示す図であり、図４は、定着装置の制御ブロック図であり、図５は、本発明に係わる第２の例の定着装置を示す概要断面構成図であり、図６は、加圧ローラ部材への荷重と光沢度の関係を示す図であり、図７は、加圧ローラ部材への荷重と加圧ローラ部材の表面速度変化との関係を示す図である。なお、定着装置の各例において、機能構造を同じくする部材には同一の符号を付す。
【００１８】
図１において、画像形成装置ＧＳは、画像形成装置本体ＧＨと画像読取装置ＹＳとから構成される。
【００１９】
画像形成装置本体ＧＨの上部には、自動原稿送り装置２０１と原稿画像走査露光装置２０２から成る画像読取装置ＹＳが設置されている。自動原稿送り装置２０１の原稿台上に載置された原稿Ｄは搬送手段により搬送され、原稿画像走査露光装置２０２の光学系により原稿の片面又は両面の画像が走査露光され、ラインイメージセンサＣＣＤに読み込まれる。この際、原稿台上から搬送される原稿Ｄは、光沢レベル選択手段として用いられる光沢度レベル検出センサＰＫａにより、原稿画像の光沢度、および原稿画像のモノクロ、カラーの判別や両面画像の判別が行われる。
【００２０】
ラインイメージセンサＣＣＤにより光電変換されたアナログ信号は、画像処理部において、アナログ処理、Ａ／Ｄ変換、シェーディング補正、画像圧縮処理等を行った後、画像書き込み部（露光手段）３Ｙ、３Ｍ、３Ｃ、３Ｋに信号を送る。
【００２１】
自動原稿送り装置２０１は自動両面原稿搬送手段を備えている。この自動原稿送り装置２０１は原稿載置台上から搬送される多数枚の原稿Ｄの内容を、連続して一挙に読み取り、記憶手段に蓄積する事が可能であるから（電子ＲＤＨ機能）、複写機能により多数枚の原稿内容を複写する場合、或いはファクシミリ機能により多数枚の原稿Ｄを送信する場合等に便利に使用される。
【００２２】
画像形成装置本体ＧＨは、タンデム型カラー画像形成装置と称せられるもので、画像形成手段としては、複数組の画像形成部１０Ｙ、１０Ｍ、１０Ｃ、１０Ｋと、ベルト状の中間転写体としての中間転写ベルト６と、再給紙機構（ＡＤＵ機構）を含む給紙搬送手段と、定着手段としての定着装置１７（或いは定着装置１７Ａ）とからなる。
【００２３】
イエロー（Ｙ）色の画像を形成する画像形成部１０Ｙは、像形成体としての感光体ドラム１Ｙと、感光体ドラム１Ｙの周囲に配置されたＹのトナー像形成手段としての帯電手段２Ｙ、露光手段３Ｙ、現像装置４Ｙ及び像形成体クリーニング手段８Ｙを有する。マゼンタ（Ｍ）色の画像を形成する画像形成部１０Ｍは、像形成体としての感光体ドラム１Ｍと、Ｍのトナー像形成手段としての帯電手段２Ｍ、露光手段３Ｍ、現像装置４Ｍ及び像形成体クリーニング手段８Ｍを有する。シアン（Ｃ）色の画像を形成する画像形成部１０Ｃは、像形成体としての感光体ドラム１Ｃと、Ｃのトナー像形成手段としての帯電手段２Ｃ、露光手段３Ｃ、現像装置４Ｃ及び像形成体クリーニング手段８Ｃを有する。黒（Ｋ）色の画像を形成する画像形成部１０Ｋは、像形成体としての感光体ドラム１Ｋと、Ｋのトナー像形成手段としての帯電手段２Ｋ、露光手段３Ｋ、現像装置４Ｋ及び像形成体クリーニング手段８Ｋを有する。帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。現像装置４Ｙ、４Ｍ、４Ｃ、４Ｋによる現像は、使用するトナー極性と同極性（本実施形態においては負極性）の直流電圧に交流電圧を重畳した現像バイアスが印加される反転現像にて行われる。
【００２４】
中間転写ベルト６は、複数のローラにより巻回され、回動可能に支持されている。
【００２５】
画像形成プロセスの概要について以下に説明する。
画像形成部１０Ｙ、１０Ｍ、１０Ｃ及び１０Ｋより形成された各色の画像は、使用するトナーと反対極性（本実施形態においては正極性）の１次転写バイアス（不図示）が印加される１次転写手段としての１次転写ローラ７Ｙ、７Ｍ、７Ｃ及び７Ｋにより、回動する中間転写ベルト６上に逐次転写されて（１次転写）、合成されたカラー画像（カラートナー像）が形成される。給紙カセット２０Ａ、２０Ｂ、２０Ｃ内に収容された記録紙Ｐは、給紙カセット２０Ａ、２０Ｂ、２０Ｃにそれぞれ設けられる送り出しローラ２１および給紙ローラ２２Ａにより給紙され、搬送ローラ２２Ｂ、２２Ｃ、２２Ｄ、レジストローラ２３等を経て、２次転写手段としての２次転写ローラ７Ａに搬送され、記録紙Ｐ上の一方の面（表面）にカラー画像が一括して転写される（２次転写）。
【００２６】
カラー画像が転写された記録紙Ｐは、定着装置１７（或いは定着装置１７Ａ）により定着処理され、排紙ローラ２４に挟持されて機外の排紙トレイ２５上に載置される。
【００２７】
転写後の感光体ドラム１Ｙ、１Ｍ、１Ｃ、１Ｋの周面上に残った転写残トナーは、像形成体クリーニング手段８Ｙ、８Ｍ、８Ｃ、８Ｋによりクリーニングされ次の画像形成サイクルに入る。
【００２８】
一方、２次転写ローラ７Ａにより記録紙Ｐにカラー画像を転写した後、記録紙Ｐを曲率分離した中間転写ベルト６は、中間転写体クリーニング手段８Ａにより残留トナーが除去される。
【００２９】
なお、上記画像形成プロセスにおいてはカラー画像形成にて説明したが、カラー画像形成のみならずモノクロ画像の形成や両面画像形成も行われることは勿論である。
【００３０】
本発明に係わる定着装置１７は、図２に示す構成となっていて、無端状のベルト部材としての定着ベルト２７と、定着ベルト２７の内周面の一方において定着ベルト２７を張架する定着ローラ１７ａと、内部に加熱部材としてのハロゲンランプＨＬａを有し定着ベルト２７の内周面の他方において定着ベルト２７を張架する加熱ローラ１７ｃと、定着ベルト２７を挟んで定着ローラ１７ａと当接し、定着ローラ１７ａを押圧（加圧）する加圧ローラ１７ｂとのローラ部材を備えて定着ベルト２７を張架するものである。
【００３１】
加熱ローラ１７ｃによって加熱される定着ベルト２７を挟んで定着ローラ１７ａと加圧ローラ１７ｂとの間に定着ニップ部Ｎｂを形成すると共に、定着ニップ部Ｎｂの上流で（定着ニップ部Ｎｂに先行して）、定着ベルト２７と加圧ローラ１７ｂとが対向して、定着ベルト２７と加圧ローラ１７ｂとの間に加圧ローラ１７ｂに巻きかける補助ニップ部Ｎａを形成して、該補助ニップ部Ｎａと定着ニップ部Ｎｂとを通して熱と圧力とを加えることにより記録紙Ｐ上のトナー像（或いはカラートナー像）を定着するものである。この補助ニップ部Ｎａにより、記録紙Ｐへの熱供給源である定着ベルト２７と記録紙Ｐとの接触時間を大きくし、定着性や光沢度を上げることができる。
【００３２】
定着ベルト２７としては、基体として内径７０〜１２０ｍｍ程度で厚さ２０〜８０μｍ程度の、例えばニッケル電鋳ベルトを用いた金属ベルトや、厚さ４０〜１５０μｍ程度のポリイミドやポリアミド等を用いた耐熱性の樹脂ベルトの外側（外周面）に、厚さ１００〜３００μｍ程度の耐熱性のシリコンゴムを被覆したものに、離型層として表面に厚さ３０〜５０μｍ程度のＰＦＡ（パーフルオロアルコキシ）コーティング加工を施したものを用いる。
【００３３】
定着ローラ１７ａは、例えばＳＴＫＭ（機械構造用炭素鋼鋼管）を用いた、肉厚２〜５ｍｍ程度の円筒状の金属パイプ１７１ａと、該金属パイプ１７１ａの外周面に例えばシリコン材を用い、厚さが（肉厚）３〜８ｍｍ程度で、ゴム硬度が５〜１５Ｈｓ（ＪＩＳ、Ａゴム硬度）程度のシリコンのゴム部材からなる弾性層１７２ａと、弾性層１７２ａ表面の厚さ１５〜３０μｍ程度のＰＦＡ（パーフルオロアルコキシ）チューブを用いた離型層１７３ａとからなり、外径３０〜５０ｍｍ程度の軟らかめソフトローラとして形成される。
【００３４】
加圧ローラ１７ｂとしては、例えばＳＴＫＭ（機械構造用炭素鋼鋼管）を用いた、肉厚２〜５ｍｍ程度の円筒状の金属パイプ１７１ｂと、該金属パイプ１７１ｂの外周面に例えばシリコン材を用い、厚さ（肉厚）１〜５ｍｍの薄肉で、ゴム硬度が５〜１５Ｈｓ（ＪＩＳ、Ａゴム硬度）の軟らかめのゴム部材よりなる弾性層１７２ｂと、該弾性層１７２ｂの表面に厚さ１５〜５０μｍ程度のＰＦＡ（パーフルオロアルコキシ）チューブを被覆した離型層１７３ｂとを形成した、外径４０〜６０ｍｍ程度の軟らかめのソフトローラとして構成される。また加圧ローラ１７ｂの内部に、図に点線で示すように、加熱部材としてのハロゲンランプＨＬａを設け、定着ベルト２７を加熱するようにしてもよい。
【００３５】
内部にハロゲンランプＨＬａを有する加熱ローラ１７ｃは、例えばアルミ材を用いた、肉厚１〜２ｍｍ程度の円筒状の金属パイプ１７１ｃと、該金属パイプ１７１ｃの外周面に被覆した厚さ１５〜５０μｍ程度のＰＦＡ（パーフルオロアルコキシ）チューブからなる離型層１７３ｃとを形成した、外径４０〜６０ｍｍ程度のローラ部材として構成される。
【００３６】
定着ベルト２７と加圧ローラ１７ｂとの間に形成される補助ニップ部Ｎａと、それぞれソフトローラである定着ローラ１７ａと加圧ローラ１７ｂとの間に形成させる定着ニップ部Ｎｂとにより記録紙Ｐ上のトナー像（或いはカラートナー像）が定着される。
【００３７】
また、加熱ローラ１７ｃに定着ベルト２７を挟んで接触または非接触の温度センサＴＳ１を設け、加熱ローラ１７ｃおよび定着ベルト２７の温度制御を行う。
【００３８】
次に、本発明に係わる押圧力変更手段と回転速度変更手段とについて図３により以下に説明する。
【００３９】
押圧力変更手段としては、例えば加圧ローラ１７ｂの両端で加圧ローラ１７ｂの回転軸Ｊｔを押圧する押圧バネＳＰａ、該押圧バネＳＰａを保持するバネ受けＳＰＡ、該バネ受けＳＰＡを押圧移動させる偏芯カムＨＣおよび偏芯カム駆動モータＭｂとにより構成される。押圧力変更手段による定着時の定着ローラ１７ａへの加圧ローラ１７ｂの押圧力（荷重）の変更は、両端部のバネ受けＳＰＡの下部に設けられる偏芯カムＨＣの回転により行われる。偏芯カム駆動モータＭｂの回転を受けて、減速機構ＧＫｂを通して偏芯カムＨＣに設けられる偏芯軸Ｊａを回転駆動し、両端部の偏芯カムＨＣの回転が行われる。両端部の偏芯カムＨＣが、図３に矢印で示す時計方向へ回転されると、両端部のバネ受けＳＰＡが上側へ持ち上げられて位置を移動され、両端部の押圧バネＳＰａが加圧ローラ１７ｂの両端部の回転軸Ｊｔを押圧（加圧）し、加圧ローラ１７ｂを定着ベルト２７を介して定着ローラ１７ａに押圧（加圧）するものである。
【００４０】
また回転速度変更手段としては、例えば加圧ローラ１７ｂの回転軸Ｊｔの一方の端部に設けられる歯車Ｇａ、該歯車Ｇａと噛み合わされる歯車Ｇｂおよび定着駆動モータＭａとにより構成される。回転速度変更手段による定着時の加圧ローラ１７ｂの回転の変更は、加圧ローラ１７ｂの一方の端部に設けられる歯車Ｇａの回転により行われる。定着駆動モータＭａの回転を受けて、駆動系ＧＫａを通して歯車Ｇａと結合する歯車Ｇｂを回転駆動し、定着駆動モータＭａの回転速度を変更することにより加圧ローラ１７ｂの回転変更が行われる。
【００４１】
本発明は、上記図２にて述べた定着装置１７（或いは後述する図５にて述べる定着装置１７Ａ）において、定着時のトナー像（画像）の光沢度を可変とするもので、トナー像の光沢度変更に当たっては、後述する制御部において、上記図３にて述べた押圧力変更手段による加圧ローラ１７ｂの押圧力（荷重）を変更すると共に、回転速度変更手段による加圧ローラ１７ｂの回転速度を変更し、定着装置１７（或いは定着装置１７Ａ）での記録紙Ｐの搬送速度が一定となるように制御するものである。
【００４２】
先ず、定着装置での転写材搬送速度が一定となるようにするための本発明に係わる、加圧ローラ部材を定着ローラ部材に押圧する押圧力（荷重）を変更する押圧力変更手段による定着時の定着ニップ部での定着荷重（荷重、Ｎ）と光沢度（°）との関係を図６に示す。この関係は予め実験によって求められるものである。光沢度の荷重依存性は、例えば定着ベルトの温度を１８５℃、加圧ローラの温度を１４０℃とし、斤量１２８ｇ／ｍ２のコート紙（商品名：ＮＫアート紙）を用いた場合、図に示すように、定着時の定着荷重（定着時の押圧力）が大きいほど補助ニップ部或いは定着ニップ部での定着後のトナー画像の光沢度は高光沢となる。定着時の定着ニップ部或いは補助ニップ部での光沢度と押圧力（荷重）には相関があり、押圧力（荷重）を大とすると高光沢となり、加圧圧力（押圧力）を小とすると低光沢となる。上記定着ニップ部での定着荷重（荷重）と光沢度との実験による関係は、荷重と光沢度との参照テーブルとして、後述する記憶部のＲＯＭ内に格納される。
【００４３】
次に、定着装置での転写材搬送速度が一定となるようにするための本発明に係わる、加圧ローラ部材の回転を変更する回転速度変更手段による定着時の定着ニップ部での加圧ローラ部材の定着荷重（荷重、Ｎ）と、荷重によって表層に歪み（％）が生じるために変化する表面速度変化との関係を表１に示す。
【００４４】
【表１】
2004094082.tif 000003
【００４５】
上記表１の関係は予め実験によって求められるものであり、表１の実験は、厚さ５ｍｍ、ゴム硬度が５Ｈｓ（ＪＩＳ、Ａゴム硬度）のゴム層を有する外径４０ｍｍの定着ローラと、厚さ３ｍｍ、ゴム硬度が５Ｈｓ（ＪＩＳ、Ａゴム硬度）のゴム層を有する外径５０ｍｍの加圧ローラとの組合わせ、加圧ローラに荷重を掛け定着ニップ部の幅（ｍｍ）を変えて行ったものである。
【００４６】
また、表１でのゴム層の歪みと表面速度との関係は、
Ｖε＝（１＋ε）Ｖ
であり、
Ｖは、歪みが無いときの加圧ローラの表面速度
Ｖεは、歪みがあるときの加圧ローラの表面速度
εは、ゴム層の歪み
である。
【００４７】
上記表１の関係をグラフ化したものが図７であり、図７の定着ニップ部での定着荷重（荷重）と表面速度変化（Ｖε／Ｖ）との実験による関係が、荷重と表面速度変化との参照テーブルとして、同じく記憶部のＲＯＭ内に格納される。
【００４８】
具体的な制御方法としては、図４に示すように、通常画像形成は、加熱部材としてのハロゲンランプをｏｎ（点灯）として加熱ローラ１７ｃを加熱し、温度センサＴＳ１により定着ベルト２７の温度を所定の温度に保持した状態で、例えば操作部よりスタート釦が押されると、記憶部のＲＯＭ内に格納されている画像形成プログラムＰ１が制御部を通して実行されて、図１にて述べた画像形成手段によりモノクロ画像やカラー画像の画像形成が行われる。また例えば、操作部より光沢度切替釦により高光沢度モードが選択されると、記憶部のＲＯＭ内に格納されている高光沢度画像形成プログラムＰ２が制御部を通して実行されて、高光沢度のモノクロ画像やカラー画像の画像形成が行われる。また例えば、操作部より光沢度切替釦により低光沢度モードが選択されると、記憶部のＲＯＭ内に格納されている低光沢度画像形成プログラムＰ３が制御部を通して実行されて、低光沢度のモノクロ画像やカラー画像の画像形成が行われる。
【００４９】
本発明に係わる定着時のトナー像（画像）の光沢度の変更に当たっては、選択された光沢度に応じて、記憶部のＲＯＭ内に格納される荷重と光沢度との参照テーブルを参照し、前記押圧力変更手段による加圧ローラ１７ｂの押圧力（荷重）を変更すると共に、記憶部のＲＯＭ内に格納される荷重と表面速度変化との参照テーブルを参照し、前記回転速度変更手段による加圧ローラ１７ｂの回転速度を変更し、定着装置１７での記録紙Ｐの搬送速度が一定となるように制御する。
【００５０】
上記の如く、加圧ローラに荷重を掛けると、荷重により加圧ローラの表層のゴム層が歪んでしまい、加圧ローラの転写材搬送速度が変化してしまう。本発明は光沢度変更に応じた加圧ローラへの荷重変更の際に、この変化をなくし加圧ローラの転写材搬送速度を一定とするために回転速度変更手段により加圧ローラの回転を変更する（変化させる）ものである。
【００５１】
また図２にて説明した定着ローラ部材（定着ローラ）の内部にハロゲンランプＨＬａを発熱体として用いて設け、加熱ローラ部材としての加熱ローラ１７ｄを形成し、図５に示すように、該加熱ローラ１７ｄと、図２にて説明した加圧ローラ部材である加圧ローラ１７ｂとにより定着装置１７Ａを構成し、加熱ローラ１７ｄと加圧ローラ１７ｂとの間に定着ニップ部Ｎｂを形成し、定着ニップ部Ｎｂを通して熱と圧力とを加えることにより、図１にて説明した記録紙Ｐ上のトナー像（或いはカラートナー像）を定着することも可能である。この際、加圧ローラ１７ｂの内部にも発熱体としてのハロゲンランプＨＬａを配設するようにしてもよい。
【００５２】
内部にハロゲンランプＨＬａを設けた加熱ローラ１７ｄは、例えばＳＴＫＭ（機械構造用炭素鋼管）を用いた、肉厚２〜５ｍｍ程度の円筒状の芯金としての金属パイプ１７１ｄと、該金属パイプ１７１ｄの外周面に例えばシリコン材を用い、厚さが（肉厚）３〜８ｍｍ程度で、ゴム硬度が５〜１５Ｈｓ（ＪＩＳ、Ａゴム硬度）程度のシリコンのゴム部材からなる弾性層１７２ｄと、弾性層１７２ｄ表面の厚さ１５〜３０μｍ程度のＰＦＡ（パーフルオロアルコキシ）チューブを用いた離型層１７３ｄとからなり、外径３０〜５０ｍｍ程度の軟らかめソフトローラとして形成される。
【００５３】
加圧ローラ１７ｂとしては、図２にて述べたと同様に、例えばＳＴＫＭ（機械構造用炭素鋼管）を用いた、肉厚２〜５ｍｍ程度の円筒状の芯金としての金属パイプ１７１ｂと、該金属パイプ１７１ｂの外周面に例えばシリコン材を用い、厚さ（肉厚）１〜５ｍｍ厚の薄肉で、ゴム硬度が５〜１５Ｈｓ（ＪＩＳ、Ａゴム硬度）の軟らかめのゴム部材からなる弾性層１７２ｂと、該弾性層１７２ｂの表面に厚さ１５〜５０μｍ程度のＰＦＡ（パーフルオロアルコキシ）チューブを被覆した離型層１７３ｂとを形成した、外径４０〜６０ｍｍ程度の軟らかめのソフトローラとして構成される。
【００５４】
それぞれソフトローラである加熱ローラ１７ｄと加圧ローラ１７ｂとの間に形成させる定着ニップ部Ｎｂにより記録紙Ｐ上のトナー像（或いはカラートナー像）が定着される。
【００５５】
また、加熱ローラ１７ｄに接触または非接触の温度センサＴＳ１を設け、加熱ローラ１７ｄおよび定着ベルト２７の温度制御を行う。
【００５６】
上記第２の例の定着装置１７Ａでの転写材搬送速度が一定となるようにするための本発明に係わる、押圧力変更手段と回転速度変更手段とは図３にて説明したと同様な部材により構成される。加圧ローラ部材を定着ローラ部材に押圧する押圧力（荷重）を変更する押圧力変更手段による定着時の定着ニップ部での定着荷重（荷重、Ｎ）と光沢度（°）との実験による関係は図６にて説明したと同様であり、また、定着装置での転写材搬送速度が一定となるようにするための本発明に係わる、加圧ローラ部材の回転を変更する回転速度変更手段による定着時の定着ニップ部での加圧ローラ部材の定着荷重（荷重、Ｎ）と、荷重によって表層に歪み（％）が生じるために変化する表面速度変化（Ｖε／Ｖ）との実験による関係は表１および図７にて説明したと同様である。また、それぞれ参照テーブルとして、図４にて説明した記憶部のＲＯＭ内に格納される。
【００５７】
本発明に係わる定着時のトナー像（画像）の光沢度の変更に当たっては、選択された光沢度に応じて、記憶部のＲＯＭ内に格納される荷重と光沢度との参照テーブルを参照し、前記押圧力変更手段による加圧ローラ１７ｂの押圧力（荷重）を変更すると共に、記憶部のＲＯＭ内に格納される荷重と表面速度変化との参照テーブルを参照し、前記回転速度変更手段による加圧ローラ１７ｂの回転速度を変更し、定着装置１７Ａでの記録紙Ｐの搬送速度が一定となるように制御する。
【００５８】
上記定着装置の第２の例において、光沢度変更の際に、加熱ローラ部材を前記押圧力変更手段により押圧すると共に、前記回転速度変更手段により加熱ローラ部材の回転速度を変更して、定着装置（定着ニップ部Ｎｂ）での転写材搬送速度を一定に制御するようにしてもよい。
【００５９】
なお前記ベルト部材を用いた第１の例の定着装置は、上記ローラ部材により構成される第２の例の定着装置と比較して、上下ローラ（定着ローラと加圧ローラと）のゴム層の肉厚が厚くできるので光沢度変更の範囲が広く、特に有効である。
【００６０】
本発明は上記の如き構成をとることにより、定着画像の光沢度変更の際にも、定着時に転写ずれ等のない、高画質が得られる。
【００６１】
【発明の効果】
請求項１によれば、制御部は光沢度変更に当たって、前記押圧力変更手段による加圧ローラ部材の押圧力（定着荷重）を変更すると共に、前記回転速度変更手段による加圧ローラ部材の回転速度を変更し、前記定着装置での転写材搬送速度が一定となるように制御することにより、定着画像の光沢度変更の際にも、定着時に転写ずれ等のない、高画質が得られる画像形成装置の提供が可能となる。
【００６２】
請求項２によれば、制御部は光沢度変更に当たって、前記押圧力変更手段による加圧ローラ部材の押圧力（定着荷重）を変更すると共に、前記回転速度変更手段による加圧ローラ部材或いは加熱ローラ部材の回転速度を変更し、前記定着装置での転写材搬送速度が一定となるように制御することにより、定着画像の光沢度変更の際にも、定着時に転写ずれ等のない、高画質が得られる画像形成装置の提供が可能となる。
【図面の簡単な説明】
【図１】本発明に係わる定着装置を用いる画像形成装置の一実施形態を示すカラー画像形成装置の断面構成図である。
【図２】本発明に係わる第１の例の定着装置を示す概要断面構成図である。
【図３】定着装置に用いられる押圧力変更手段および回転速度変更手段を示す図である。
【図４】定着装置の制御ブロック図である。
【図５】本発明に係わる第２の例の定着装置を示す概要断面構成図である。
【図６】加圧ローラ部材への荷重と光沢度の関係を示す図である。
【図７】加圧ローラ部材への荷重と加圧ローラ部材の表面速度変化との関係を示す図である。
【符号の説明】
１Ｙ，１Ｍ，１Ｃ，１Ｋ　感光体ドラム
２Ｙ，２Ｍ，２Ｃ，２Ｋ　帯電手段
３Ｙ，３Ｍ，３Ｃ，３Ｋ　露光手段
４Ｙ，４Ｍ，４Ｃ，４Ｋ　現像装置
７Ａ　２次転写ローラ
７Ｙ，７Ｍ，７Ｃ，７Ｋ　１次転写ローラ
８Ａ　中間転写体クリーニング手段
８Ｙ，８Ｍ，８Ｃ，８Ｋ　像形成体クリーニング手段
１０Ｙ，１０Ｍ，１０Ｃ，１０Ｋ　画像形成部
１７，１７Ａ　定着装置
１７ａ　定着ローラ
１７ｂ　加圧ローラ
１７ｃ，１７ｄ　加熱ローラ
２７　定着ベルト
Ｇａ，Ｇｂ　歯車
ＨＣ　偏芯カム
ＨＬａ　ハロゲンランプ
Ｍａ　定着駆動モータ
Ｍｂ　偏芯カム駆動モータ
Ｎａ　補助ニップ部
Ｎｂ　定着ニップ部
ＳＰＡ　バネ受け
ＳＰａ　押圧バネ
Ｐ　記録紙
【図１】
2004094082.tif 000004
【図２】
2004094082.tif 000005
【図３】
2004094082.tif 000006
【図４】
2004094082.tif 000007
【図５】
2004094082.tif 000008
【図６】
2004094082.tif 000009
【図７】
2004094082.tif 000010